(57)【要約】【課題】扉板の表面に突出部がないようにして衣服や身体に引っ掛かるなどの危険性のない開口扉のロック装置を提供する。【解決手段】扉板５の裏面側から開口部５ａに嵌入して扉板５に取り付けられる本体部７と、この本体部７の裏面の凹部７ｂから離れた状態と裏面の凹部７ｂに嵌入した状態との間でスライドするマグネット８と、マグネット８の背面に結合されたスライド部材９と、スライド部材９の一側部に取り付けられたロック片１０と、ロック片１０に近接する位置で本体部７の背面に一端が結合され他端にロック片１０により拘束された状態で点検口などの開口形成部の係止孔部４ｂに係止するラッチ爪１１が取り付けられた板ばね１２とを備え、本体部７の中央膨らみ部７ａの前面に磁性体を当ててマグネット８を本体部７の裏面の凹部７ｂに嵌入するように引き寄せることによりロック片１０は同方向に移動してラッチ爪１１より離れるように構成した。【選択図】図７
2011038300.tif 000002
【特許請求の範囲】
【請求項１】
点検口などの開口を閉じる扉のロック装置であって、前記開口形成部に一側辺がヒンジ部材により回転可能に支持された扉板の他側辺に開口部が形成され、この開口部に取り付けられるロック装置は、中央膨らみ部が扉板の裏面側から開口部に嵌入した状態で扉板に取り付けられる本体部と、この本体部の裏面の凹部から離れた状態と裏面の凹部に嵌入した状態との間でスライド移動するマグネットと、このマグネットの背面に結合されたスライド部材と、このスライド部材の一側部に設けられたロック片と、このロック片に近接する位置で本体部の背面に一端が結合され他端に前記ロック片により拘束された状態で前記開口形成部の係止孔部に係止するラッチ部材を備え、前記本体部の中央膨らみ部の前面に磁性体を当てて磁力により前記スライド部材と結合されたマグネットを本体部の裏面の凹部に嵌入するように引き寄せることにより前記ロック片は同方向に移動してラッチ部材より離れ、ラッチ部材はフリーな状態となるように構成したことを特徴とする開口扉のロック装置。
【発明の詳細な説明】
【技術分野】
【０００１】
本発明は、建築物の壁に設けられる壁点検口の扉板あるいはキャビネットなどのボックスの扉板をロックする開口扉のロック装置に関するものである。
【背景技術】
【０００２】
従来から知られる壁点検口としては例えば特許文献１に開示されているように、構築物の壁体に開口された開口部に取り付けられる外枠体と、その外枠体の開口部にヒンジ軸を有するヒンジ手段によって開閉可能に組み付けられた内枠体とを備え、内枠体に開口部を閉じる蓋板を取り付けてなるものがある。
【先行技術文献】
【特許文献】
【０００３】
【特許文献１】特許第３３７８４８８号公報
【発明の概要】
【発明が解決しようとする課題】
【０００４】
上記従来の壁点検口の構成、つまり外枠、内枠からなる壁点検口の構成を採用し、外枠と内枠（蓋板）を結合させるヒンジ軸を外枠および内枠（蓋板）の上端に位置せしめ、内枠（蓋板）を開閉可能とし、外枠および内枠（蓋板）の下端で内枠（蓋板）を閉じた状態を保持するロック手段を設けて壁点検口を構成した場合、内枠（蓋板）を開くためにロック手段を解除したとき、内枠（蓋板）は自重により外枠の中に収まった状態であり、内枠（蓋板）を手前に開くためには内枠（蓋板）に掴み片を突設しなければならず、内枠（蓋板）から掴み片が突設していると、掴み片の突出部が衣服や身体に引っ掛かるなどの危険性があるという問題が生じる。つまり、内枠側に設けられた蓋板を開くためには上記した壁点検口の構成だけでなく、掴み片を設ける必要があり、掴み片の突出部が衣服や身体に引っ掛かるなどの危険性があるという問題があった。
【０００５】
本発明の目的は、このような課題を解決するものであり、扉板の表面に突出部がないようにして衣服や身体に引っ掛かるなどの危険性のない開口扉のロック装置を提供することにある。
【課題を解決するための手段】
【０００６】
本発明の請求項１に記載の開口扉のロック装置は、点検口などの開口を閉じる扉のロック装置であって、前記開口形成部に一側辺がヒンジ部材により回転可能に支持された扉板の他側辺に開口部が形成され、この開口部に取り付けられるロック装置は、中央膨らみ部が扉板の裏面側から開口部に嵌入した状態で扉板に取り付けられる本体部と、この本体部の裏面の凹部から離れた状態と裏面の凹部に嵌入した状態との間でスライド移動するマグネットと、このマグネットの背面に結合されたスライド部材と、このスライド部材の一側部に設けられたロック片と、このロック片に近接する位置で本体部の背面に一端が結合され他端に前記ロック片により拘束された状態で前記開口形成部の係止孔部に係止するラッチ部材を備え、前記本体部の中央膨らみ部の前面に磁性体を当てて磁力により前記スライド部材と結合されたマグネットを本体部の裏面の凹部に嵌入するように引き寄せることにより前記ロック片は同方向に移動してラッチ部材より離れ、ラッチ部材はフリーな状態となるように構成したことを特徴とする。
【発明の効果】
【０００７】
以上のように、本発明の開口扉のロック装置は、扉板の表面に掴み片などの突出部がないので、衣服や身体に引っ掛かるなどの危険性のない開口扉のロック装置を提供すること
することができる。具体的には、ロック解除用のマグネットなどの磁性体を用意してロック装置に内蔵したマグネットを引き寄せることによりロックを解除することができ、ロック解除用の磁性体を本体部の中央膨らみ部の前面に当ててスライド部材と結合されたマグネットを引き寄せた状態のまま扉板を閉じるのであり、ロック解除用の磁性体が掴み片の役割を果たし、扉板が閉じているときは本体部の中央膨らみ部の前面はロック解除用の磁性体が存在しないフラットな状態であるので、衣服や身体に引っ掛かるなどの危険性のない開口扉のロック装置を提供することができるものである。そして、このロック装置には鍵穴がないので、鍵穴を悪戯されることもない。
【図面の簡単な説明】
【０００８】
【図１】本発明の一実施の形態におけるロック装置の分解斜視図である。
【図２】同ロック装置の本体部を裏面側から見た斜視図である。
【図３】同ロック装置の組み立て完成状態における前方から見た斜視図である。
【図４】同ロック装置の組み立て完成状態における後方から見た斜視図である。
【図５】同ロック装置の組み立て完成状態における側面図である。
【図６】同壁点検口の斜視図である。
【図７】同ロック装置が取り付けられた扉板が閉じた状態における横断面図である。
【図８】同ロック装置が取り付けられた扉板が閉じた状態における後方から見た斜視図である。
【図９】同ロック装置が取り付けられた扉板が閉じた状態におけるロック片とラッチ爪との関係を示す断面図である。
【図１０】同ロック装置が取り付けられた扉板が開いた状態における横断面図である。
【図１１】同ロック装置が取り付けられた扉板が開いた状態における後方から見た斜視図である。
【図１２】同ロック装置が取り付けられた扉板を開くことが可能な状態におけるロック片とラッチ爪との関係を示す断面図である。
【発明を実施するための形態】
【０００９】
以下、本発明の一実施の形態を、図１〜図１２を用いて具体的に説明する。
図において、１は例えば建築物の室内の壁２に形成されている開口部３に嵌め込まれて取り付けられる壁点検口で、この壁点検口１は外枠４と、この外枠４に嵌入し外枠４の開口を閉じるための扉板５とからなり、この扉板５は縦方向に向く一側辺が外枠４の縦方向に向く一側辺にヒンジ部材（図示せず）により鉛直軸芯の周りで回転可能に支持されて、外枠４に対して開閉できるようになっている。なお、前記外枠４は壁２に形成されている開口部３に嵌め込まれて壁２の内側で支持されるものである。
【００１０】
前記扉板５には他側辺近傍における上下方向中間部において、外枠４側に係脱するロック装置６が装着されている。このロック装置６は扉板５の他側辺近傍における上下方向中間部に形成された開口部５ａに中央膨らみ部７ａが扉板５の裏面側から嵌入し両側部が扉板５の裏面に当接する正面形状が横長の長方形の本体部７と、この本体部７の裏面の凹部７ｂから離れた状態と裏面の凹部７ｂに嵌入した状態との間でスライド移動するマグネット８と、このマグネット８の背面に結合された横長のスライド部材９と、このスライド部材９の一側部に後向きに突出するように取り付けられたロック片１０と、このロック片１０を上下から挟む位置で本体部７の一側部の背面に前端が結合され後端にラッチ爪１１が取り付けられた上下一対の板ばね１２と、これら板ばね１２およびラッチ爪１１からなる上下一対のラッチ部材を左右から挟むサイドプレート１３およびガイドプレート１４とを備えている。さらに詳しくは、前記サイドプレート１３は前記扉板５の他側辺に連設された内側への折り曲げ片１５の内側に重なって折り曲げ片１５の外側からビス１６止めされるようになっている。なお、前記本体部７は前記サイドプレート１３が折り曲げ片１５にビス１６止めされる前に一側部端面がサイドプレート１３の前端部内面に重なった状態でサイドプレート１３の外側からビス１７止めされるものである。また、前記ガイドプレート１４は前記本体部７の裏面に前端折り曲げ片１４ａが重なった状態で前端折り曲げ片１４ａ側からビス１８止めされており、このガイドプレート１４には前記スライド部材９に取り付けたロック片１０をガイドプレート１４とサイドプレート１３との間に位置させるべく角孔１９が形成されている。また、前記後端にラッチ爪１１を取り付けた板ばね１２はガイドプレート１４とサイドプレート１３との間に位置して本体部７の一側部の背面に前端がビス２０止めされている。そして、前記角孔１９よりガイドプレート１４とサイドプレート１３との間に突出するロック片１０は上下一対の板ばね１２間に位置して上下のラッチ爪１１に対し当接離脱可能となっている。さらに、上記のように折り曲げ片１５にビス１６止めされて固定されている本体部７の背面側において本体部７と平行に本体部７との間に間隔が開くように横長のストッパー板２１が設けられる。このストッパー板２１の両側部には本体部７に向って突出する棒状のスペーサー２２が設けられており、この棒状のスペーサー２２を前記マグネット８が前面に取り付けられたスライド部材９の両側部に形成された貫通孔２３に挿通させ、本体部７の両側部裏面に先端を当接させ、且つスライド部材９と本体部７との間でスペーサー２２にコイル状のばね２４を外嵌させた状態で本体部７の両側部のねじ挿通孔２５より挿通したビス２６を前記各スペーサー２２の先端より形成した雌ねじ孔２７に螺合させて締め付けることにより、本体部７に対してストッパー板２１が取り付けられるとともに本体部７とストッパー板２１との間に前記ばね２４によりストッパー板２１側に付勢されたスライド部材９とマグネット８が設けられることになる。なお、マグネット８はその背面がスライド部材９の中央部前面に当接した状態でビス２８によりスライド部材９と結合されている。このように、マグネット８とともにスライド部材９が本体部７とストッパー板２１との間でスペーサー２２により支持されて前後に移動可能となっていることにより、前記ロック片１０は上下一対の板ばね１２間に位置して上下のラッチ爪１１に対し当接離脱可能となるものである。全体的には上記のような構成であるが、さらに詳しくは前記サイドプレート１３およびガイドプレート１４の後端部はストッパー板２１の背面よりも後方に突出し、扉板５が閉じた状態において扉板５に対向する前記外枠４の他側辺側の板部４ａの係止孔部４ｂを貫通し、上下のラッチ爪１１はサイドプレート１３とガイドプレート１４との間から上下に突出して外枠４の前記係止孔部４ｂに係止して扉板５をロック係止するようになっている。
【００１１】
上記構成において、外枠４の開口を扉板５が閉じているときは前記スライド部材９はストッパー板２１に当接しマグネット８は本体部７から離れている。そして、前記上下のラッチ爪１１はサイドプレート１３とガイドプレート１４との間から上下に突出して外枠４の前記係止孔部４ｂに係止して扉板５をロック係止している。かかる状態で閉じた扉板５を開けるときは、本体部７の中央膨らみ部７ａの前面にロック解除用のマグネットや鉄などからなる磁性体（図示せず）を当てて磁力により前記マグネット８を本体部７の裏面の凹部７ｂに嵌入するように引き寄せることにより前記ロック片１０は前方に移動して上下のラッチ爪１１間より離れ、ラッチ爪１１はフリーな状態となる。つまり、ラッチ爪１１はロック片１０により拘束された状態から解除される。かかる状態のとき、本体部７の中央膨らみ部７ａの前面に当てた磁性体と前記マグネット８は吸着状態にあり、本体部７の中央膨らみ部７ａの前面に当てた磁性体を摘みとして扉板５を前方に引くと、その力で前記ラッチ爪１１は外枠４の前記係止孔部４ｂから抜け出るようにサイドプレート１３とガイドプレート１４との間に退き、扉板５を開くことができる。そして、扉板５を閉じ終わるまでは本体部７の中央膨らみ部７ａの前面に当てた磁性体は外さずにラッチ爪１１をフリーな状態としておき、扉板５を閉じ終わると前記ラッチ爪１１はサイドプレート１３とガイドプレート１４との間から上下に突出し、前記本体部７の中央膨らみ部７ａの前面に当てた磁性体を外すことにより、前記ばね２４力により前記スライド部材９はストッパー板２１に当接しマグネット８は本体部７から離れた状態に戻り、スライド部材９の一側部にある前記ロック片１０が前記ラッチ爪１１に当接してラッチ爪１１を固定させ、ラッチ爪１１は外枠４の前記係止孔部４ｂに係止した状態となる。
【００１２】
ところで、以上述べた図面に示す実施の形態では、前記ラッチ爪１１は上下一対、つまり２つ備えているが、１つでも扉板５をロック係止することができる。また、図面に示す実施の形態では、本体部７の中央膨らみ部７ａは正面形状が四角形であるが、円形であっても良い。
【００１３】
また、以上述べた図面に示す実施の形態では、開口扉のロック装置として建築物の室内の壁２に取り付けられる壁点検口の扉のロック装置について説明したが、建築物の室内の床点検口の扉のロック装置や天井点検口の扉のロック装置、あるいはキャビネットなどのボックスの扉のロック装置にも実施可能である。
【産業上の利用可能性】
【００１４】
本発明の開口扉のロック装置は、建築物の壁に設けられる壁点検口の扉板あるいはキャビネットなどのボックスの扉板をロックするロック装置である。
【符号の説明】
【００１５】
１      壁点検口
２      壁
３      開口部
４      外枠
４ａ    板部
４ｂ    係止孔部
５      扉板
５ａ    開口部
６      ロック装置
７      本体部
７ａ    中央膨らみ部
７ｂ    凹部
８      マグネット
９      スライド部材
１０      ロック片
１１      ラッチ爪
１２      板ばね
１３      サイドプレート
１４      ガイドプレート
１４ａ    前端折り曲げ片
１５      折り曲げ片
１６      ビス
１７      ビス
１８      ビス
１９      角孔
２０      ビス
２１      ストッパー板
２２      スペーサー
２３      貫通孔
２４      ばね
２５      ねじ挿通孔
２６      ビス
２７      雌ねじ孔
２８      ビス
【図１】
2011038300.tif 000003
【図２】
2011038300.tif 000004
【図３】
2011038300.tif 000005
【図４】
2011038300.tif 000006
【図５】
2011038300.tif 000007
【図６】
2011038300.tif 000008
【図７】
2011038300.tif 000009
【図８】
2011038300.tif 000010
【図９】
2011038300.tif 000011
【図１０】
2011038300.tif 000012
【図１１】
2011038300.tif 000013
【図１２】
2011038300.tif 000014